(57)【要約】【課題】硬質プラスチック製であっても柔軟に全体的に変形でき、また、アイの取付け位置が制約されなく自由となり、さらに、構造が簡単であるため量産にも適する屈曲自在ルアーを提供する。【解決手段】、ルアー本体が、推進軸方向に間隔をおいて断続的に幾つかに分割してなる部分片の連続であって、その一連の部分片に貫通する可撓性心材を入れてインサート成形してなり、各部分片の間の間隔において、可撓性心材が曲がり得るようにした。【効果】硬質プラスチック製であっても柔軟に全体的に変形でき、ルアーが擬似する動物と同じ曲がりくねる動作となるので、魚類が違えて飛びつきやすくなり、また、釣り糸やフックの接合アイの取付け位置が制約されなく自由となり、さらに、構造が簡単であるため量産にも適する。【選択図】    図１
2004236548.tif 000002
【特許請求の範囲】
【請求項１】
ルアー本体が、推進軸方向に間隔をおいて断続的に幾つかに分割してなる部分片の連続であって、その一連の部分片に貫通する可撓性心材を入れてインサート成形してなり、各部分片の間の間隔において、可撓性心材が曲がり得るようにしたことを特徴とする屈曲自在ルアー。
【請求項２】
可撓性心材が各部分片の中心を通る線材であって、両端部には、両端の部分片から抜けないように、その端の部分片にインサートされる止め塊を予め固着し、また、屈折に伴う疲労を防止するために、端の部分片に一部インサートされて間隔に露出するクッションを予め通してあることを特徴とする請求項１記載の屈曲自在ルアー。
【請求項３】
可撓性心材が薄板であって、それに各部分片が結合し得るように、貫通する多数の抜け穴を設けて成形時に部分片肉が抜け穴に通しに充填されていることを特徴とする請求項１記載の屈曲自在ルアー。
【発明の詳細な説明】
【０００１】
【発明の属する技術分野】
この発明は、ルアーフィッシイングにおいて魚を釣る擬餌バリとして使用するルアーであって、体を自在にくねらせ得る屈曲自在ルアーに関する。
【０００２】
【従来の技術】
ルアーフィッシイングは、１７００年代ヨーロッパに、釣り人が誤ってスプーンを湖に落としたところマスが飛びついたのがきっかけとなって始まり、ルアーについて今日に至るまで様々な工夫がなされ、多種類のルアーが提供されてきている。ルアーフィッシイングの魅力は、生き餌や本物の餌を使わないで、イミテーションの餌（ルアー）を使っての釣りであるので、ルアーの種類を選択して操作し、魚とのかけひきを楽しむことにあるとされる。
【０００３】
ルアーの種類については、色や形、大きさ、材質、または浮くもの、沈むもの、音を出すもの、等とタイプも膨大である。大きく分類してみると、形態では、エビ、ミミズ、昆虫類などの生物形状を模すものとして、スピナー、スプーン、スピナーベイト、プラグ、ジグ、ソフトルアーの６タイプがあり、材質では、主に成形の都合から、金属性、バルサ・プラスチック、ソフトプラスチックの３タイプがる。そのうち、疑似餌の生物に似せて体を自在にくねらせることができるものは、塩化ビニール等のソフトプラスチックで成形されるソフトルアーだけであった。
【０００４】
【発明が解決しようとする課題】
上記のように、従来、体をくねらせることのできるルアーは、軟質プラスチックの材質により変形自在であるけれども、強度が無いために軟質本体にフック等を取り付けることはできなかった。そこで、フックの取り付けについては、釣り糸にルアー本体と共にフックを直接取り付けていたので、フックの位置が前端部となり限定されるという問題があった。また別の方法として、ルアーを硬質プラスチックと軟質プラスチックとで一体に成形し、硬質プラスチックの部分に釣り糸やフックの接続アイが取り付けられていたが、こうしても、フックの位置が硬質プラスチック部分に限定される難点があり、限定されないように、硬質部分を長い範囲にわたって形成すると、全体的な変形をなし得なくなるという問題があった。
【０００５】
また、屈曲自在ルアーに近いものとして、例えば、金魚を模したルアー形態として、胴体と尻尾とを金具で連結したルアーを挙げることができるが、これであると、金具が一対の（アイ形の）金輪で相互に結合したものであって、金具の一方の金輪を胴体に、他方の金輪を尻尾にそれぞれインサート成形や螺入により一体化されていたので、構造が複雑となり量産に適しなく、また、両金輪の結び構造から胴体と尻尾との間にどうしても多くの空間が生じて微細な連結ができなく、幾つも多数の片を連続的に連結して、擬似餌生物に似せて変形自在にするのには全く適しなかった。
【０００６】
この発明は、上記のような実情に鑑みて、硬質プラスチック製であっても柔軟に全体的に変形でき、また、アイの取付け位置が制約されなく自由となり、さらに、構造が簡単であるため量産にも適する屈曲自在ルアーを提供すること目的とした。
【０００７】
【課題を解決するための手段】
上記の目的を達成するために、この発明は、ルアー本体が、推進軸方向に間隔をおいて断続的に幾つかに分割してなる部分片の連続であって、その一連の部分片に貫通する可撓性心材を入れてインサート成形してなり、各部分片の間の間隔において、可撓性心材が曲がり得るようにしたことを特徴とする屈曲自在ルアーを提供するものである。
【０００８】
【作用】
屈曲自在ルアーを上記のように構成したから、一連の部分片の各間に間隔を有するが、その間隔はインサート成形により制約されることなく狭くも設定できるので、多数の部分片の連続において順次曲がるように、全体的に自然で自由な屈曲変形を持たせ得る。また、原則的には各部分片を硬質プラスチックで形成するので、いずれの箇所においても釣り糸やフックの接続アイを強固に取り付けることができる。
【０００９】
【発明の実施の形態】
この発明においては、可撓性心材１１の通しにより各部分片５，６，７，８が一体的に連続して、その連続においてルアーの形態が整うようにしたものであるので、ルアーの形態は特に制約されなく、従来にない新規タイプも出現させることができるが、従来型への適用としては、例えば、これまで動きがなかったプラグに有効に実施することができる。
【００１０】
可撓性心材１１の材質や形状なども特に制約されないが、材質については、金属、特殊繊維、シリコン、ゴム等の単体、又はこれらの複合素材が挙げられ、また、形状については、線、板、管、リング等が挙げられる。
【００１１】
可撓性心材１１が線材であるときには、プラスチックであるとそれが各部分片５，６，７，８とインサート成形時に馴染みやすく結着するので、部分片５，６，７，８との特別な結合手段を必ずしも要しないが、例えば、プラスチックとは異質なワイヤー等の金属製であるときには、両端に止め塊１３，１３を固着して結着を強固とする（請求項２）。また、疲労により切れないように、両端部の曲がり箇所にクッション１２，１２を通して両端の部分片５，７から露出させておくこともある。
【００１２】
可撓性心材１１が薄板材であるときには（請求項３）、それに抜け穴１９，１９，・・を設けて各部分片５，６，７，８との結合を強化できる。なお、線材であるときには自由な方向に屈曲できるが、板材であるときにはその両面方向へのみ屈曲することになる。
【００１３】
【発明の効果】
以上説明したように、この発明の屈曲自在ルアーによれば、硬質プラスチック製であっても柔軟に全体的に変形でき、ルアーが擬似する動物と同じ曲がりくねる動作となるので、魚類が違えて飛びつきやすくなり、また、釣り糸やフックの接合アイの取付け位置が制約されなく自由となり、さらに、構造が簡単であるため量産にも適するという優れた効果がある。
【００１４】
【実施例】
以下、図面の実施例に基づいて説明するが、これは例示であるので、この発明がこれらの記載により限定されるものではないことは言うまでもない。
【００１５】
図１ないし図３は一実施例であって、その屈曲自在ルアーＲは、リップ３を有するプラグに類するものとして実施した例を示したもので、本体１を頭部分片５、胴部分片６、尻部分片７による大まかな配置を取るが、頭部分片５と胴部分片６との間に一片の短部分片８を、胴部分片６と尻部分片７との間に多数の短部分片８，８，・・をそれぞれ介在させてある。そして、隣接する各部分片５，６，７，８との間にほぼ一定の間隔１０，１０，・・を設けた状態で、インサートとしての可撓性心材１１により一連に連結してある。
【００１６】
可撓性心材１１には、細い糸状の金属線で撚ったワイヤーが用いられ、インサート成形において、金型にはキャビティの中心にそのワイヤーを通して硬質プラスチックの湯が注入される。この時、ワイヤー外面の凹凸と湯が結合して固まるので、間隔１０，１０，・・が確実に保持される。また、ワイヤーの両端には、金属製の止め塊１３，１３を加締めて固着し、それが頭部分片５と尻部分片７の中に一体化されているので、このことによっても、全体の組合せがワイヤーを介して確実に保持される。
【００１７】
可撓性心材１１としてワイヤーの両端部には、ゴム質素材からなる楕円球状のクッション１２を取り付け、クッション１２には孔１３を設けて可撓性心材１１に移動可能に通し、インサート成形するときには、金型の中において、頭部分片５と尻部分片７との相対向する面位置にそれぞれクッション１２，１２を位置させる。こうして、頭部片５と尻部片７とが転じるワイヤーの付け根が保護される状態となるので、このクッション１２によりワイヤーが頭部分片５と尻部分片７との付け根で極端に曲がることが抑制される。また、頭部分片５と一体のリップ３に釣り糸を接続するアイ１５が、胴部分片６と、尻部分片７とにフック１７，１７を接続するアイ１６，１６がそれぞれ取り付けられる。
【００１８】
図４および図５は、リップの無いプラグに実施したものであるが、この場合は、可撓性心材１１にステンレス製の金属薄板が使用される。この場合も、アイ１５，１６，１６を取り付ける強度を確保するために、頭部分片５、胴部分片６、尻部分片７が比較的大きく形成され、頭部分片５と胴部分片６、胴部分片６と尻部分片７とのそれぞれの間に数個の短部分片８，８，・・が介在され、それが金属薄板で連結される。この連結を強化するために、各部分片５，６，７，８に相当する位置に抜け穴１９，１９，・・を設け、そこにインサート時に湯の注入によるプラスチックが充填されている。
【００１９】
また、胴部分片６において、金属薄板には、上部に大きく抜け穴１９を形成し、下部に大きく切欠２０を設け、抜け穴１９に浮き子２１を、切欠２０に重り子２３をそれぞれ入れてある。図６は、同実施例における可撓性心材１１としての金属薄板と類似するものを示した。また、図７は、同じく金属薄板をしめしたもので、この場合は、多くの抜け穴１９，１９，・・を長手方向の長孔として形成し、胴部分片６の抜け穴１９は上下にやゝ長い矩形に大きく形成し、そこに前記のように浮き子や重り子を入れうるようにした。
【図面の簡単な説明】
【図１】この発明の屈曲自在ルアーを示す斜視図である。
【図２】同屈曲自在ルアーの縦断面図である。
【図３】同屈曲自在ルアーにおける可撓性心材の拡大断面図である。
【図４】他の実施例による屈曲自在ルアーを示す縦断面図である。
【図５】同屈曲自在ルアーの平面図である。
【図６】前記実施例における可撓性心材と類例の可撓性心材を示す正面図である。
【図７】さらに他の類例可撓性心材を示す正面図である。
【符号の説明】
Ｒ  ルアー
１  ルアー本体
５，６，７，８  部分片
１０  間隔
１１  可撓性心材
１２  クッション
１３  止め塊
１９  抜け穴
【図１】
2004236548.tif 000003
【図２】
2004236548.tif 000004
【図３】
2004236548.tif 000005
【図４】
2004236548.tif 000006
【図５】
2004236548.tif 000007
【図６】
2004236548.tif 000008
【図７】
2004236548.tif 000009